(57)【要約】【課題】１対の偏光板の間に液晶セルが設けられた液晶表示装置において、偏光板の視野角特性を改善し、液晶セルで生じる入射光線の回折現象によって位相差補償が不十分になることを防ぐ。【解決手段】偏光方位角補償層３１は、入射側偏光板３０に斜め入射した光線の偏光面を、法線方向に入射した光線の偏光面と同じ方位に揃える。位相差補償層４１は、入射光線の一部を回折させるマイクロレンズアレイ４０よりも液晶層３４側に設けられ、液晶層３４の位相差を補償する。偏光方位角補償層３６は、マイクロレンズアレイ４０及びＴＦＴ配線パターン４６とによって回折現象が生じても、各方位及び各極角の入射光線の偏光面を出射側偏光板３７の吸収軸と平行にすることで光漏れを防ぎ、消光比を高める。【選択図】        図３
2007017485.tif 000002
【特許請求の範囲】
【請求項１】
偏光子として作用する入射側偏光子と検光子として作用する出射側偏光子との間に、一対の透明基板により液晶層を保持した液晶セルが設けられた液晶表示装置において、
前記入射側偏光子と前記液晶セルの間、及び前記出射側偏光子と前記液晶セルとの間の少なくとも一方に、各偏光子を通過する光線の偏光面の方位を補償する偏光方位角補償手段を備えたことを特徴とする液晶表示装置。
【請求項２】
前記液晶セルは、前記一対の透明基板のいずれか一方又は両方に、可視光を回折させ得るピッチで周期的な微細構造を形成した構造体が設けられ、前記構造体よりも液晶層側に該液晶層の位相差を補償する位相差補償手段が設けられていることを特徴とする請求項２記載の液晶表示装置。
【請求項３】
前記偏光方位角補償手段は、二軸性位相差層であることを特徴とする請求項１又は２記載の液晶表示装置。
【請求項４】
前記偏光方位角補償手段は、ＣプレートとＡプレートの積層体からなることを特徴とする請求項１又は２記載の液晶表示装置。
【請求項５】
偏光子として作用する入射側偏光子と検光子として作用する出射側偏光子との間に、一対の透明基板により液晶層を保持した液晶セルが設けられた液晶表示装置を備えた液晶プロジェクタにおいて、
前記入射側偏光子と前記液晶セルの間、及び前記出射側偏光子と前記液晶セルとの間の少なくとも一方に、各偏光子を通過する光線の偏光面の方位を補償する偏光方位角補償手段を備えたことを特徴とする液晶プロジェクタ。
【発明の詳細な説明】
【技術分野】
【０００１】
本発明は、クロスニコル又はパラレルニコルで配置される一対の偏光子の間に液晶セルが設けられた液晶表示装置及びこれを備えた液晶プロジェクタに関する。
【背景技術】
【０００２】
液晶分子の旋光性や複屈折性を利用して光変調を行う液晶セルには、偏光素子として偏光板が併用されている。透過型の液晶セルでは、光入射面側と光出射面側にそれぞれ光軸と垂直に偏光板が配置され、光入射面側の偏光板が非偏光光を直線偏光に変換して液晶セルに入射させる偏光子、光出射面側の偏光板が液晶セルからの変調光を偏光の向きに応じて遮断あるいは透過させる検光子として機能する。非偏光光がこの偏光板に入射すると互いに直交する偏光成分に分解され、吸収軸と平行な偏光成分の光が遮断され、吸収軸と直交する偏光成分の光が透過する。
【０００３】
この偏光板を例えばＴＮ（Twisted Nematic）液晶セルと組み合わせ、互いの吸収軸を直交させたクロスニコル配置で用いるとノーマリホワイトモードの液晶ディスプレイ装置となる。ＴＮ液晶セルは、透明電極や配向膜が形成された一対の透明な基板の間に液晶層を構成する棒状の液晶分子を充填したもので、基板間に電圧を印加しないノーマル状態のときに長軸が基板と略平行となるように保たれ、かつ厚み方向では液晶分子ごとに長軸の向きが少しずつ傾けられ全体で９０°ねじられる配向状態にしてある。
【０００４】
偏光板は、入射する光線のうち、その偏光面が偏光板の吸収軸に平行である光を吸収し、吸収軸に垂直な光を透過する性質を持っている。その結果、偏光板の法線方向に入射して生じた偏光と、法線から傾斜した方向で入射して生じた偏光とは、その偏光面は必ずしも平行にならない。つまり、偏光面が偏光板への入射方位角に依存して変化する事から、クロスニコルの消光比も入射角度に依存していわゆる視野角依存性がみられ、良好な消光比が得られない原因の一つになっている。
【０００５】
このため、特許文献１等に示すように、偏光板に２種類の二軸性位相差板を１枚ずつその遅相軸が互いに平行となるように重ねることにより、偏光板を通過した直線偏光の偏光面の傾きを補償することが行われる。これにより、法線方向から傾斜した方向で入射して生じた直線偏光は、偏光板に法線方向から入射して生じた直線偏光と偏光面が同じ向きに揃うので、検光子として作用する他方の偏光板からの光漏れを防止することができる。
【０００６】
ＴＦＴ（Thin  Film  Transistor）−ＬＣＤは、液晶層の１画素の領域に印加される電圧のオン／オフをトランジスタにより制御するため、各画素のオン／オフの切り換えが速く、正確であることから、画質の高さが要求されるディスプレイに広く利用されている。ＴＦＴ−ＬＣＤは、ＴＦＴアレイ及びその配線パターンと、透明な画素電極とが形成されたＴＦＴ基板と、ＴＦＴ基板の画素電極に対応した共通電極が形成された対向基板とを備えている。
【０００７】
ＴＦＴ基板と対向基板は、例えば透明なガラス基板からなり、ＴＦＴ基板は投映レンズ側に配置され、対向基板は光源側に配置される。対向基板には、ＴＦＴに強い光が照射されることで誤作動を起こすことがないように、ＴＦＴを遮光するためのマトリクス状の遮光層からなるブラックマトリクスが形成されている。また、ブラックマトリクスによる光の損失を防ぐために、対向基板にはマイクロレンズアレイが設けられ、光源からの光を画素ごとに集光し、ブラックマトリクスの開口部を光が通過するようにしている。
【特許文献１】特開２００１−３５００２２号公報
【発明の開示】
【発明が解決しようとする課題】
【０００８】
しかしながら、液晶プロジェクタに使用されるＴＦＴ−ＬＣＤは、直視型のディスプレイに比べてパネルサイズが小さく、スクリーン上に高精細な画像を投映するためには画素密度が非常に高くなり、マイクロレンズアレイやＴＦＴアレイ、ブラックマトリクスは約１０μｍのピッチとなる。このため、マイクロレンズアレイやＴＦＴアレイ、ブラックマトリクス等の周期的な微細構造を有する構造体は、入射光線の一部を回折させてしまい、所定の入射光線を約１０度ずつ、計２０度〜３０度の角度で拡散するという現象が起こる。これにより、入射側の偏光板を通過した光線の一部は、出射側の偏光板を通過する際の入射角度が変化してしまい、出射側の偏光板において光漏れを生じさせるという問題がある。この問題は、上述した偏光板の視野角依存性の問題に加えて発生するために解決を困難にしている。なお、この問題は液晶の配向に起因する視野角依存性とは別に発生している問題である。
【０００９】
本発明は、上記問題点を考慮してなされたもので、偏光板の視野角依存性による偏光面のズレを補償することと液晶セルの構造に起因した回折を補償することにより、液晶の動作モードに拠らず、幅広い視野角において光漏れを防止することで輝度ムラがなく、高コントラストの画像を表示することの可能な液晶表示装置及びこれを備えたの液晶プロジェクタを提供することを目的とする。
【課題を解決するための手段】
【００１０】
上記目的を達成するために、本発明は、偏光子として作用する入射側偏光子と検光子として作用する出射側偏光子との間に、一対の透明基板により液晶層を保持した液晶セルが設けられた液晶表示装置において、前記入射側偏光子と前記液晶セルの間、及び前記出射側偏光子と前記液晶セルとの間の少なくとも一方に、各偏光子を通過する光線の偏光面の方位を補償する偏光方位角補償手段を備えたことを特徴とする。
【００１１】
また、前記液晶セルは、前記一対の透明基板のいずれか一方又は両方に、可視光を回折させ得るピッチで周期的な微細構造を形成した構造体が設けられ、前記構造体よりも液晶層側に該液晶層の位相差を補償する位相差補償手段が設けられていることを特徴とする。
【００１２】
前記偏光方位角補償手段は、二軸性位相差層を２層積層して構成されることを特徴とする。前記偏光方位角補償手段は、ＣプレートとＡプレートの積層体からなることを特徴とする。
【００１３】
本発明の液晶プロジェクタは、偏光子として作用する入射側偏光子と検光子として作用する出射側偏光子との間に、一対の透明基板により液晶層を保持した液晶セルが設けられた液晶表示装置を備えた液晶プロジェクタにおいて、前記入射側偏光子と前記液晶セルの間、及び前記出射側偏光子と前記液晶セルとの間の少なくとも一方又は両方に、各偏光子を通過する光線の偏光面の方位を補償する偏光方位角補償手段を備えたことを特徴とする。
【発明の効果】
【００１４】
本発明によると、偏光子として作用する入射側偏光板に視野角の異なる光線が入射しても、偏光方位角補償手段によって各入射角で偏光板を通過する光線の偏光面が同じ方向に揃えられるので、液晶セル側で発生する液晶層の位相差をその内部で精度よく補償することができる。また、液晶層による位相差の解消された光線の一部がその後に微細構造を有する構造体による回折を起こして拡散しても、検光子として作用する出射側偏光板に対する入射角度に応じて偏光方位角補償手段がその偏光面を補償するから、光の拡散によるクロスニコルの消光比低下が防止され、黒表示状態の液晶層の光漏れを小さくし、コントラスト、視野角、輝度の均一性が向上した液晶表示装置を提供することができる。特に、液晶プロジェクタにおいては、パネルサイズが小さく、高精細な画像を形成するために画素密度が高いためにさらに効果的である。
【発明を実施するための最良の形態】
【００１５】
図１において、本発明を適用した液晶プロジェクタ１０は、透過型の三枚の液晶表示パネル１１Ｒ、１１Ｇ、１１Ｂを備え、フルカラーの画像を投映することが可能である。光源１２から出射された光は、紫外線及び赤外線をカットするフィルタ１３を透過することにより赤色光、緑色光、青色光を含む白色光となる。ガラスロッド１４は、光源１２に用いられていた楕円面鏡の焦点近傍に端面が位置しており、光源１２からの光はガラスロッド１４に入射する。
【００１６】
ガラスロッド１４を透過した光は他方の端面から出射する。その近傍には、リレーレンズ１５が設けられている。ガラスロッド１４を出射した白色光は、リレーレンズ１５及びその先のコリメートレンズ１６により平行光となって、ミラー１７に入射する。ミラー１７を反射した白色光は、赤色光を透過するダイクロイックミラー１８Ｒで２光束に分けられ、透過した赤色光はミラー１９で反射して液晶表示パネル１１Ｒを背面側から照明する。
【００１７】
ダイクロイックミラー１８Ｒを反射した緑色光と青色光は、緑色光を反射するダイクロイックミラー１８Ｇで更に２光束に分割される。ダイクロイックミラー１８Ｇを反射した緑色光は、液晶表示パネル１１Ｇを背面側から照明する。ダイクロイックミラー１８Ｇを透過した青色光は、ミラー１８Ｂ、ミラー２０を反射し、液晶表示パネル１１Ｂを背面側から照明する。
【００１８】
各液晶表示パネル１１Ｒ、１１Ｇ、１１Ｂは、フルカラー画像を形成するために、赤色、緑色、青色のグレースケール画像をそれぞれ形成する。合成プリズム２４は、液晶表示パネル１１Ｒ、１１Ｇ、１１Ｂから等距離の位置に設けられている。光源１２からの照明光は、液晶表示パネル１１Ｒ、１１Ｇ、１１Ｂを透過することにより画像情報が付与された画像光に変調され、ダイクロイック面２４ａ及び２４ｂが設けられた合成プリズム２４において三色の画像光が合成される。合成された画像光は、投映レンズ２５によりスクリーン上で結像され、フルカラー画像を形成する。
【００１９】
図２において、液晶表示パネル１１Ｒは、光源側より順に、入射側偏光板３０と、偏光方位角補償層３１と、ＭＬＡ基板３２と、対向基板３３と、液晶層３４と、ＴＦＴ基板３５と、偏光方位角補償層３６と、出射側偏光板３７とが一体に設けられている。入射側偏光板３０と出射側偏光板３７は、その吸収軸が互いに直交したクロスニコルで配置されている。入射側偏光板３０は、入射光を直線偏光にする偏光子として作用し、出射側偏光板３７は、液晶表示パネル１１Ｒの内部を通過した直線偏光を検光する検光子として作用する。なお、液晶表示パネル１１Ｇ，１１Ｂも同様の構成である。
【００２０】
偏光方位角補償層３１は、二軸性の位相差層からなり、入射側偏光板３０に入射した光線の偏光面をその入射角度に応じて回転させ、入射側偏光板３０を通過した光線の偏光面を同じ方位に揃える作用をする。これにより、入射側偏光板３０を通過した全ての光線の偏光面は、入射側偏光板３０に垂直に入射した光線の偏光面と平行になる。ＭＬＡ基板３２には、１画素に対応して約１０μｍのピッチで多数のマイクロレンズがマトリクス状に配列されたマイクロレンズアレイ（ＭＬＡ）４０が設けられており、入射側からの光を集光する凸レンズとして作用する。対向基板３３は、入射側の面に液晶層３４の位相差を補償する位相差補償層４１が設けられ、出射側の面にブラックマトリクス４２と透明な共通電極４３とが設けられている。ブラックマトリクス４２は、例えばクロム膜からなる遮光層である。
【００２１】
ＴＦＴ基板３５には、入射側の面に薄膜トランジスタ（ＴＦＴ）４４と画素電極４５とをマトリクス状に配置したＴＦＴ回路パターン４６が形成されている。ブラックマトリクス４２は、薄膜トランジスタ４４を入射光から遮り、薄膜トランジスタ４４に入射光が当たることによって誤作動が起きることを防止する。ブラックマトリクス４２と薄膜トランジスタ４４は、マイクロレンズアレイ４０と同様に約１０μｍのピッチで形成されている。ブラックマトリクス４２とＴＦＴ回路パターン４６は、対向基板３３とＴＦＴ基板３５の上にそれぞれ井桁状に形成されている。
【００２２】
薄膜トランジスタ４４がオンすると、画素電極４５と共通電極４３との間に電圧が印加され、液晶層３４の１画素に相当する領域に電場が生じ、液晶分子の配向方向を変化させる。なお、液晶層３４と共通電極４３との間、液晶層３４と画素電極４５との間には、電圧無印加状態における液晶層３４の液晶分子を所定の方向に配向させるための配向膜（図示なし）がそれぞれ設けられている。
【００２３】
液晶層３４は、対向基板３３とＴＦＴ基板３５との間に、電圧無印加状態で液晶分子が基板面と平行を保ちながら９０度ねじれて配向した、周知のＴＮモード液晶層からなる。電圧無印加状態のＴＮモード液晶層は、入射側偏光板３０を通過した直線偏光に対し、偏光面を９０度ねじり、出射側偏光板３７を通過させて白表示状態となる。また、電圧が十分に印加された状態では、液晶分子が基板面に略垂直に配向するので、入射側偏光板３０を通った直線偏光がその偏光面を変えずに液晶層３４を通り抜け、出射側偏光板３７に到達して黒表示状態となる。
【００２４】
ＴＦＴ基板３５と出射側偏光板３７との間に設けられた偏光方位角補償層３６は、偏光方位角補償層３１と同様に二軸性の位相差層からなり、入射側偏光板３０に入射した光線の偏光面をその入射角度に応じて回転させる。偏光方位角補償層３６には、液晶層３４が黒表示状態にあるとき、あらゆる方位、極角の方向から液晶表示パネル１１Ｒに入射した光線の偏光面が平行となった直線偏光が入射する。偏光方位角補償層３６は、入射した直線偏光の偏光面の方位が揃った状態から、その入射方位及び極角の大きさに基づいて、入射光線の偏光面をさらに同じ方向に回転させる。偏光面が回転された直線偏光は、その入射角度に応じて出射側偏光板３７の吸収軸と平行な方位を向く。
【００２５】
位相差補償層４１は、ＴＮモード液晶の場合、円盤状の分子構造を有するディスコティック液晶化合物を重合したディスコティック液晶層からなる。ディスコティック液晶層は、その上層側と下層側との間で配向方向が厚み方向に連続的に変化したハイブリッド配向をとった状態で固定化されている。白表示状態のＴＮモード液晶層は、その中央部の液晶分子が垂直方向に配向するが、基板面付近の液晶分子はチルト角が平面内で変化したハイブリッド配向をとるため、ハイブリッド配向したディスコティック液晶層によりＴＮモード液晶層の位相差を補償することができる。
【００２６】
次に本発明の作用について説明する。図３において、液晶表示パネル１１Ｒに入射した光線は、あらゆる方向から入射側偏光板３０を通過して直線偏光になる。このとき、各直線偏光の偏光面の方位は、ほぼ平行であるが、厳密には入射の方位と極角に依存して回転する。その回転角の大きさは、吸収軸に対して４５度をなす方位から入射し、極角の大きい方向から入射する光線ほど、入射側偏光板３０の吸収軸を含む面内で入射した光線に比べて大きく回転する。各入射光線の入射方位、極角ごとの偏光面の方向は、グラフにすると糸巻き型になる。入射側偏光板３０を通過した各方向からの直線偏光は、偏光方位角補償層３１に入射すると、その偏光面の方位は、極角０度の法線方向から入射した光線の偏光面の方位と同じになる。
【００２７】
各方向の入射光線は、マイクロレンズアレイ４０を有するＭＬＡ基板３２に入射する。各方向の入射光線は、約１０μｍのピッチで形成されたマイクロレンズアレイ４０を通過する際に凸レンズの作用によって集光する。また、入射光線の一部の光線は回折現象を起こし、入射側偏光板３０に入射した時の方向から拡散する。回折した入射光線は、その偏光面を変えることなく、位相差補償層４１に入射する。位相差補償層４１を通過する入射光線は、法線方向に平行な入射光線はそのまま何の影響も受けずに通過する。また、法線方向に対して斜めに進行する入射光線は、その傾きの角度に応じた大きさの負の位相差が与えられる。位相差補償層４１を通過した入射光線は、対向基板３３からブラックマトリクス４２の開口部を通過して液晶層３４に入射する。ブラックマトリクス４２を通過する際に、各方向に進行する入射光線の一部は回折現象を起こし、さらに拡散する。
【００２８】
液晶層３４に到達した入射光線は、ブラックマトリクス４２での回折により一部の光線の進行方向は変わっているものの、大部分の光は位相差補償層４１を通過した時と同じ角度で液晶層３４を通過する。液晶層３４が黒表示状態であれば、法線方向に平行な入射光線は垂直配向した液晶分子の影響を受けずそのまま通過する。また、法線方向に斜めに進行する入射光線は、液晶分子の複屈折性により正の位相差が与えられる。液晶層３４を通過するときの角度と位相差補償層４１を通過するときの角度が同じであるので、各方向に進行する入射光線に与えられた位相差は原理的にゼロになる。すなわち、各入射光線の偏光面の方位は、偏光方位角補償層３１を通過した直後と同じになり、全ての入射光線の偏光面の方位が平行に揃うことになる。
【００２９】
液晶層３４を通過した入射光線は、ＴＦＴ回路パターン４６に入射すると、その一部がさらに回折現象を起こし拡散するが、各光線の偏光面に変化はない。ＴＦＴ回路パターン４６を通過した入射光線は、その平行面が平行に揃った状態のまま偏光方位角補償層３１に入射する。偏光方位角補償層３１を通過する入射光線は、偏光方位角補償層３６に対する方位がその遅相軸に対して４５度をなすほど、また極角が大きいほど、その偏光面が回転される。各入射光線の入射方位、極角ごとの偏光面の方向は、グラフにすると樽型になる。偏光方位角補償層３６を通過した入射光線は、その進行方向ごとに偏光面の方位が、出射側偏光板３７の吸収軸と平行、すなわち透過軸と直交するので、出射側偏光板３７を通過する光線はなく、良好な黒表示状態が達成されることになる。
【００３０】
このように、液晶表示パネル１１Ｒは、入射側偏光板３０に様々な角度で光線が入射し、入射した光線の偏光面が入射方位、極角ごとに変化しても、偏光方位角補償層３１及び３６により、出射側偏光板３７の吸収軸に平行な偏光面を有する入射光線に変換するので、出射側偏光板３７から漏れる光がなくなり、消光比（コントラスト）の高い液晶表示装置及び液晶プロジェクタを実現することができる。
【００３１】
また、液晶表示パネル１１Ｒでは、マイクロレンズアレイ４０及びブラックマトリクス４２、ＴＦＴ回路パターン４６のように一定又はほぼ一定の規則性を有する周期的な微細構造が形成された構造体を通過するときに、この構造体がその界面で屈折率差を有すること、又は不透明体であることにより一部の光線が回折を起こして拡散するが、液晶層３４に入射する光線の角度と位相差補償層４１に入射する光線の角度が同じに保たれるので、良好な位相差補償が行われる。クロスニコル配置された１対の偏光板の消光比（コントラスト）が格段に高められる。
【００３２】
なお、本発明を実施するにあたっては、上記実施形態に限られることはない。例えば、液晶層３４とＴＦＴ回路パターン４６の間（正確には、ＴＦＴ基板側の配向膜とＴＦＴ回路パターン４６との間）に位相差補償層４１を設けてもよい。また、ブラックマトリクス４２が回折現象を起こすことを考慮して、ブラックマトリクス４２より液晶層３４側に設けられる共通電極４３の配線パターンと液晶層３４の間（正確には、共通電極４３と対向基板３３側の配向膜との間）に位相差補償層４１を設けてもよい。すなわち、回折現象の要因となる微細構造を有する構造体よりも液晶層に近い側に位相差補償層を設けていればよい。これらの位置に設けた場合、原理的にさらに良好なコントラスト改善効果が期待できる。また、逆に、性能構造よりもコスト抑制を優先して、位相差補償層４１を省略してもよい。
【００３３】
また、本発明の液晶表示装置は、ＴＦＴ−ＬＣＤに限られず、カラーフィルタ付きの単板式プロジェクタ用の液晶表示パネルとして構成されてもよい。また、液晶層３４としては、ＴＮモード液晶に限られず、その他の動作モードの液晶層を備えた液晶表示装置にも等しく適用することができ、各動作モードの液晶層に対応した位相差補償層を使用すればよい。
【００３４】
例えば、電圧無印加状態でネマチック液晶性を示す液晶分子を基板面に垂直に配向させたＶＡＮモード液晶層を用いる場合、位相差補償層４１としては、光軸が基板面に垂直なＣプレートとして作用する一軸性の複屈折体を用いることができる。このＣプレートは、ＶＡＮ液晶の正の位相差を補償するために負の屈折率異方性を有していればよく、例えば、基板面の法線方向を積層方向として、高屈折率の無機材料と低屈折率の無機材料とを交互に複数層積層して作製した無機の構造性複屈折体が好適である。また、Ｃプレートに加え、基板面内に光軸を有するＡプレートや、光軸が基板面に対して傾斜したＯプレートをさらに積層させた位相差補償層を用いることもＶＡＮ液晶の位相差補償を行う上では有効である。
【００３５】
ＴＮ液晶、ＶＡＮ液晶の他にも、ＩＰＳ（In-Plane  Switching）モード、ＯＣＢ（Optically  Compensatory  Bend）モード、ＥＣＢ（Electrically  Controlled  Birefringence）モードなどの各動作モードの液晶セルを用いることができ、各動作モードの液晶セルに適した位相差補償手段を用いることができる。
【００３６】
また、偏光方位角補償層３１，３６としては、二軸性の複屈折体を２つ重ねた位相差板を用いることに限らず、特許文献１に記載されているように、ＣプレートとＡプレートの積層体も本発明に使用される偏光方位角補償手段として好適である。基板面に垂直な光軸を有するＣプレートと、基板面内に光軸を有するＡプレートは、例えば、フォトリソグラフィや斜方蒸着法によって構造性複屈折体として無機材料から作製することができる。なお、偏光方位角補償層として用いる複屈折体は偏光板の支持体を兼ねていても良い。
【００３７】
また、上記実施形態では、入射側と出射側にそれぞれ偏光方位角補償層３１、３６を設け、入射側と出射側で入射光線の偏光面の回転を補償しているが、これに限らず、コストと効果を考慮して出射側のみ、又は入射側のみに設けられていてもよい。
【図面の簡単な説明】
【００３８】
【図１】液晶プロジェクタの構成を示す概略図である。
【図２】液晶表示パネルの構成を示す断面図である。
【図３】液晶表示パネルの構成を概念的に示す斜視図である。
【符号の説明】
【００３９】
１０  液晶プロジェクタ
１１Ｒ，１１Ｇ，１１Ｂ  液晶表示パネル
１２  光源
３０  入射側偏光板
３１  偏光方位角補償層
３２  ＭＬＡ基板
３３  対向基板
３４  液晶層
３５  ＴＦＴ基板
３６  偏光方位角補償層
３７  出射側偏光板
４０  マイクロレンズアレイ
４１  位相差補償層
４２  ブラックマトリクス
４３  共通電極
４４  薄膜トランジスタ
４５  画素電極
４６  ＴＦＴ回路パターン
【図１】
2007017485.tif 000003
【図２】
2007017485.tif 000004
【図３】
2007017485.tif 000005